(57)【要約】【課題】低倍率時に大きな画角を確保しつつ、３倍以上の変倍比を有し、かつ良好な収差性能を備えた実像式変倍ファインダーを提供する。【解決手段】光軸に沿って物体側から順に、正の屈折力を有する対物レンズ群Ｏと、正立光学系Ｐと、正の屈折力を有する接眼レンズ群Ｌとからなる実像式変倍ファインダーにおいて、  前記対物レンズ群Ｏは、光軸に沿って物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４とを有し、少なくとも第２レンズ群Ｇ２および第３レンズ群Ｇ３が変倍群として作用し、所定の条件式を満足することを特徴とする。【選択図】図１
2005107279.tif 000002
【特許請求の範囲】
【請求項１】
光軸に沿って物体側から順に、正の屈折力を有する対物レンズ群と、正立光学系と、正の屈折力を有する接眼レンズ群とからなる実像式変倍ファインダーにおいて、
前記対物レンズ群は、光軸に沿って物体側から順に、負の屈折力を有する第１レンズ群と、正の屈折力を有する第２レンズ群と、負の屈折力を有する第３レンズ群と、正の屈折力を有する第４レンズ群とを有し、少なくとも前記第２レンズ群および前記第３レンズ群が変倍群として作用し、以下の条件式を満足することを特徴とする実像式変倍ファインダー。
０．９０＜（−ｆ１）／ｆ２＜１．２０
２．００＜（−ｆ３）／ｆ２＜２．４０
ただし、
ｆ１：前記対物レンズ群における前記第１レンズ群の焦点距離
ｆ２：前記対物レンズ群における前記第２レンズ群の焦点距離
ｆ３：前記対物レンズ群における前記第３レンズ群の焦点距離
【請求項２】
前記第２レンズ群および前記第３レンズ群が変倍群として作用し、かつ前記第１レンズ群の位置が固定であり、以下の条件式を満足することを特徴とする請求項１に記載の実像式変倍ファインダー。
１．５＜Ｒ１２／Ｄ１１＜３．０
ただし、
Ｒ１２：前記第１レンズ群における最も物体側のレンズのアイポイント側のレンズ面の近軸曲率半径
Ｄ１１：前記第１レンズ群における最も物体側のレンズの光軸上の厚み
【請求項３】
以下の条件式を満足することを特徴とする請求項１または請求項２に記載の実像式変倍ファインダー。
−１．０＜（Ｒ２２＋Ｒ１１）／（Ｒ２２−Ｒ１１）＜−０．８
ただし、
Ｒ１１：前記第１レンズ群中の最も物体側のレンズ面の近軸曲率半径
Ｒ２２：前記第１レンズ群中の最もアイポイント側のレンズ面の近軸曲率半径
【請求項４】
前記対物レンズ群における前記第１レンズ群、前記第２レンズ群、前記第３レンズ群、および前記第４レンズ群は、各々単レンズ１枚のみで構成されていることを特徴とする請求項１から請求項３のいずれか一項に記載の実像式変倍ファインダー。
【発明の詳細な説明】
【技術分野】
【０００１】
本発明は、カメラなどに好適な実像式変倍ファインダーに関する。
【背景技術】
【０００２】
従来、高変倍の実像式ファインダーが提案されている（例えば、特許文献１，２参照。）。
【特許文献１】特開平１０−３１９３２０号公報
【特許文献２】特開２００２−７２１０７号公報
【発明の開示】
【発明が解決しようとする課題】
【０００３】
上記特許文献１に開示の実像式ファインダーは、変倍比が３倍以上と大きい。しかしながら、低倍率時の画角が小さい、すなわち視野が狭いという問題がある。
また、上記特許文献２に開示の実像式ファインダーは、低倍率時の画角が６０度以上と大きい。しかしながら、変倍比が３倍以下で小さいという問題がある。
【０００４】
そこで本発明は上記問題点に鑑みてなされたものであり、低倍率時に大きな画角を確保しつつ、３倍以上の変倍比を有し、かつ良好な収差性能を備えた実像式変倍ファインダーを提供することを目的とする。
【課題を解決するための手段】
【０００５】
上記課題を解決するために本発明は、
光軸に沿って物体側から順に、正の屈折力を有する対物レンズ群と、正立光学系と、正の屈折力を有する接眼レンズ群とからなる実像式変倍ファインダーにおいて、
前記対物レンズ群は、光軸に沿って物体側から順に、負の屈折力を有する第１レンズ群と、正の屈折力を有する第２レンズ群と、負の屈折力を有する第３レンズ群と、正の屈折力を有する第４レンズ群とを有し、少なくとも前記第２レンズ群および前記第３レンズ群が変倍群として作用し、以下の条件式（１），（２）を満足することを特徴とする実像式変倍ファインダーを提供する。
（１）  ０．９０＜（−ｆ１）／ｆ２＜１．２０
（２）  ２．００＜（−ｆ３）／ｆ２＜２．４０
ただし、
ｆ１：前記対物レンズ群における前記第１レンズ群の焦点距離
ｆ２：前記対物レンズ群における前記第２レンズ群の焦点距離
ｆ３：前記対物レンズ群における前記第３レンズ群の焦点距離
【０００６】
また、本発明の好ましい態様によれば、本発明の実像式変倍ファインダーにおいて、
前記第２レンズ群および前記第３レンズ群が変倍群として作用し、かつ前記第１レンズ群の位置が固定であり、以下の条件式（３）を満足することが望ましい。
（３）１．５＜Ｒ１２／Ｄ１１＜３．０
ただし、
Ｒ１２：前記第１レンズ群における最も物体側のレンズのアイポイント側のレンズ面の近軸曲率半径
Ｄ１１：前記第１レンズ群における最も物体側のレンズの光軸上の厚み
【０００７】
また、本発明の好ましい態様によれば、本発明の実像式変倍ファインダーは、以下の条件式（４）を満足することが望ましい。
（４）  −１．０＜（Ｒ２２＋Ｒ１１）／（Ｒ２２−Ｒ１１）＜−０．８
ただし、
Ｒ１１：前記第１レンズ群中の最も物体側のレンズ面の近軸曲率半径
Ｒ２２：前記第１レンズ群中の最もアイポイント側のレンズ面の近軸曲率半径
【０００８】
また、本発明の好ましい態様によれば、本発明の実像式変倍ファインダーにおいて、
前記対物レンズ群における前記第１レンズ群、前記第２レンズ群、前記第３レンズ群、および前記第４レンズ群は、各々単レンズ１枚のみで構成されていることが望ましい。
【発明の効果】
【０００９】
本発明によれば、低倍率時に大きな画角を確保しつつ、３倍以上の変倍比を有し、かつ良好な収差性能を備えた実像式変倍ファインダーを提供することができる。
【発明を実施するための最良の形態】
【００１０】
本発明の実像式変倍ファインダーは、光軸に沿って物体側から順に、正の屈折力を有する対物レンズ群と、正立光学系と、正の屈折力を有する接眼レンズ群とからなる実像式変倍ファインダーにおいて、前記対物レンズ群は、光軸に沿って物体側から順に、負の屈折力を有する第１レンズ群と、正の屈折力を有する第２レンズ群と、負の屈折力を有する第３レンズ群と、正の屈折力を有する第４レンズ群とを有し、少なくとも前記第２レンズ群および前記第３レンズ群が変倍群として作用し、以下の条件式（１），（２）を満足するように構成されている。
（１）  ０．９０＜（−ｆ１）／ｆ２＜１．２０
（２）  ２．００＜（−ｆ３）／ｆ２＜２．４０
ただし、
ｆ１：前記対物レンズ群における前記第１レンズ群の焦点距離
ｆ２：前記対物レンズ群における前記第２レンズ群の焦点距離
ｆ３：前記対物レンズ群における前記第３レンズ群の焦点距離
【００１１】
上記条件式（１），（２）は、変倍群として作用する第２レンズ群の屈折力を規定しており、条件式（１）は、大きな画角を確保しつつ、諸収差を良好に補正するための条件式である。条件式（１）の下限値を下回ると、第２レンズ群の屈折力が小さくなり、変倍比を確保することが困難になってしまう。一方、条件式（１）の上限値を上回ると、第２レンズ群の屈折力が大きくなる。このため、大きな変倍比を確保することができるが、変倍によって生じる収差の変動が大きくなって良好な収差性能を確保することが困難になってしまう。
尚、本発明の実像式変倍ファインダーは、条件式（１）の下限値を０．９５として満足することがより好ましい。また、本発明の実像式変倍ファインダーは、条件式（１）の上限値を１．１５として満足することがより好ましい。
【００１２】
条件式（２）は、諸収差を良好に補正しつつ、瞳位置を適正な位置に配置するための条件式である。条件式（２）の下限値を下回ると、第２レンズ群の屈折力が小さくなり、変倍比を確保することが困難になってしまう。一方、条件式（２）の上限値を上回ると、対物レンズ群の射出瞳位置が近くなり、接眼レンズ群を介して観察した際にケラレが生じてしまう。
尚、本発明の実像式変倍ファインダーは、条件式（２）の下限値を２．１０として満足することがより好ましい。また、本発明の実像式変倍ファインダーは、条件式（２）の上限値を２．３５として満足することがより好ましい。
【００１３】
また、本発明の実像式変倍ファインダーは、前記第２レンズ群および前記第３レンズ群が変倍群として作用し、かつ前記第１レンズ群の位置が固定であり、以下の条件式（３）を満足することが望ましい。
（３）  １．５＜Ｒ１２／Ｄ１１＜３．０
ただし、
Ｒ１２：前記第１レンズ群における最も物体側のレンズのアイポイント側のレンズ面の近軸曲率半径
Ｄ１１：前記第１レンズ群における最も物体側のレンズの光軸上の厚み
【００１４】
上記条件式（３）は、第１レンズ群の適切なレンズ形状を規定するための条件式である。条件式（３）の下限値を下回ると、最も物体側のレンズの厚みが増して光学系の大型化を招くこととなるため好ましくない。一方、条件式（３）の上限値を上回ると、最も物体側のレンズのアイポイント側のレンズ面が物体側へ近づくこととなり、このことが不要外光によるフレアおよびゴーストが発生する要因となってしまうため好ましくない。
尚、本発明の実像式変倍ファインダーは、条件式（３）の下限値を１．７として満足することがより好ましい。また、本発明の実像式変倍ファインダーは、条件式（３）の上限値を２．７として満足することがより好ましい。
【００１５】
また、本発明の実像式変倍ファインダーは、以下の条件式（４）を満足することが望ましい。
（４）  −１．０＜（Ｒ２２＋Ｒ１１）／（Ｒ２２−Ｒ１１）＜−０．８
ただし、
Ｒ１１：前記第１レンズ群中の最も物体側のレンズ面の近軸曲率半径
Ｒ２２：前記第１レンズ群中の最もアイポイント側のレンズ面の近軸曲率半径
【００１６】
上記条件式（４）は、対物レンズ群における第１レンズ群の形状を規定しており、高変倍に対応しつつ、低倍率時に広視野を確保するための条件式である。条件式（４）の下限値を下回ると、広視野を確保することは容易になるが、変倍比を大きくしたときの収差の変動が大きくなってしまうため好ましくない。一方、上限値を上回ると、変倍比を大きくしたときの収差の変動を軽減することができるが、低倍率時に広視野の収差性能が低下してしまう。
尚、本発明の実像式変倍ファインダーは、条件式（４）の上限値を−０．９として満足することがより好ましい。
【００１７】
また、本発明の実像式変倍ファインダーにおいて、前記対物レンズ群における前記第１レンズ群、前記第２レンズ群、前記第３レンズ群、および前記第４レンズ群は、各々単レンズ１枚のみで構成されていることが望ましい。
【００１８】
また、本発明の実像式変倍ファインダーには、非球面を導入することが望ましい。
本発明の実像式変倍ファインダーの各レンズ群に非球面を導入することによって、収差の補正や各レンズ群のレンズ枚数を軽減することが容易になる。具体的には、第１レンズ群に非球面を用いることによって、広画角化に伴い発生する歪曲収差を良好に補正することができる。また、第２レンズ群に非球面を用いることによって、該第２レンズ群を１枚のレンズのみで構成した場合でも諸収差を良好に補正することができる。
【００１９】
以下、添付図面に基づいて本発明の各実施例に係る実像式変倍ファインダーを説明する。
（第１実施例）
図１は、本発明の第１実施例に係る実像式変倍ファインダーのレンズ構成を示す図である。図１において、（ａ），（ｂ），（ｃ）はそれぞれ、本実施例に係る実像式変倍ファインダーの低倍率時，中倍率時，高倍率時の断面を示している。
図１に示すように、本実施例に係る実像式変倍ファインダーは、光軸に沿って物体側から順に、正の屈折力を有する対物レンズ群Ｏと、正立光学系Ｐと、正の屈折力を有する接眼レンズ群Ｌとからなる。
【００２０】
対物レンズ群Ｏは、光軸に沿って物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４とから構成されている。
詳細には、第１レンズ群Ｇ１は両凹形状の負レンズからなり、第２レンズ群Ｇ２は両凸形状の正レンズからなり、第３レンズ群Ｇ３は物体側に凸面を向けた負メニスカスレンズからなり、第４レンズ群Ｇ４は物体側に凸面を向けた平凸レンズからなり、したがって全てのレンズ群は単レンズ１枚のみで構成されている。
斯かる構成の対物レンズ群Ｏは、第４レンズ群Ｇ４の近傍に実像を形成する。
また、正立化部材Ｐは、プリズムによって構成されており、対物レンズ群Ｏによって形成された実像を正立像とするものである。尚、この正立化部材Ｐは、図１において展開した状態で示されている。
さらに、接眼レンズ群Ｌは、両凸形状の正レンズからなる。
【００２１】
また、第３レンズ群Ｇ３と第４レンズ群Ｇ４との間に、不図示の反射部材が配置されており、対物レンズ群Ｏの光路を折り曲げる構成としている。この反射部材は、正立化部材Ｐとともに、対物レンズ群Ｏによって結像される実像を正立像とする。
また、本実施例において、第２レンズ群Ｇ２および第３レンズ群Ｇ３が変倍群として作用する。倍率を低倍から高倍へ変化させる際には、第２レンズ群Ｇ２を光軸に沿って物体側へ線形に移動させ、これに伴なう像面位置の補正は第３レンズ群Ｇ３によって行われる。また、このとき第１レンズ群Ｇ１の位置は固定である。
以上の構成の下、対物レンズ群Ｏによって第４レンズ群Ｇ４の近傍に形成された実像は、正立化部材Ｐと接眼レンズ群Ｌとを介してアイポイントＥ.Ｐで観察されることとなる。
【００２２】
以下の表１に、本発明の第１実施例に係る実像式変倍ファインダーの諸元の値を掲げる。
（全体諸元）において、ｍはファインダー倍率、Ｘは視度（単位：ディオプター、Ｄ、またはｍ-1）、２ωはファインダー画角（単位：度）、Ｅ.Ｐはアイポイントをそれぞれ示す。ここで、視度の単位「ディオプター」に関して、視度Ｘ［ディオプター］とは、接眼レンズ群Ｌによる像がアイポイントＥ.Ｐから光軸上１／Ｘ［ｍ］の位置にできる状態のことを示す。尚、符号は像がアイポイントＥ.Ｐより物体側にできたときを負とする。
（レンズデータ）において、面番号は物体側からの光学面の順序、間隔は光学面の間隔をそれぞれ示す。また、ｎｄ，νｄはそれぞれｄ線（λ＝５８７．５６ｎｍ）に対する屈折率，アッベ数を示す。さらに、曲率半径∞は平面を示し、Ｅ.Ｐはアイポイントを示す。
【００２３】
ここで、本実施例に係る実像式変倍ファインダーにおける非球面は、光軸に垂直な方向の高さをｙ、高さｙにおける非球面の頂点の接平面から非球面までの光軸に沿った距離（サグ量）をｘ、近軸曲率半径（基準球面の曲率半径）をｒ、円錐定数をκ、４，６，８，１０次の非球面係数をそれぞれＣ4，Ｃ6，Ｃ8，Ｃ10として、以下の非球面式で表される。
ｘ＝（ｙ2／ｒ）／｛１＋（１−κｙ2／ｒ2）1/2｝
＋Ｃ4ｙ4＋Ｃ6ｙ6＋Ｃ8ｙ8＋Ｃ10ｙ10
尚、「E-n」は「×１０ーn」を示し、例えば「1.234E-05」は「1.234×10-5」を示す。また、（レンズデータ）において、非球面には面番号の左側に＊印を付している。
【００２４】
ここで、以下の全ての諸元値において掲載されている焦点距離、曲率半径、その他長さの単位は一般に「ｍｍ」が使われる。しかし光学系は、比例拡大または比例縮小しても同等の光学性能が得られるため、単位はｍｍに限られるものではない。
尚、以下の全実施例の諸元値においても、本実施例と同様の符号を用いる。
【００２５】
［表１］
（全体諸元）
ｍ    ＝   0.214〜0.711
視度Ｘ＝  -1.0（ｍ-1）
２ω  ＝  79.45°〜23.80
Ｅ.Ｐ ＝  18
（レンズデータ）
面番号  曲率半径   間隔    ｎｄ      νd
1)   -180.0000  2.0000  1.585180  30.24
＊2)      4.3435   Ｄ１   1.000000
＊3)      6.3730  3.0000  1.491080  57.57
＊4)     -5.2955   Ｄ２   1.000000
＊5)    129.3356  1.5000  1.585180  30.24
＊6)      7.8688   Ｄ３   1.000000
7)      9.0000  2.0000  1.491080  57.57
8)       ∞     2.0000  1.000000
9)       ∞    25.2040  1.516800  64.10
10)       ∞     3.6240  1.491080  57.57
11)       ∞     1.6000  1.000000
＊12)     21.0000  2.3000  1.491080  57.57
13)    -25.7010  Ｅ.Ｐ
（非球面係数）
面番号   κ       C4           C6           C8           C10
2    0.5208  0.00000E+00  0.00000E+00  0.00000E+00  0.00000E+00
3    1.6050 -2.24020E-03 -2.74450E-04  0.00000E+00  0.00000E+00
4    0.9777  0.00000E+00 -1.55150E-04  0.00000E+00  0.00000E+00
5   50.0000  9.30400E-04  0.00000E+00  0.00000E+00  0.00000E+00
6   12.8832  0.00000E+00 -1.22550E-03  4.32840E-04 -8.76120E-05
12   -2.8000  0.00000E+00  0.00000E+00  0.00000E+00  0.00000E+00
（可変間隔データ）
低倍率     中倍率     高倍率
倍率    0.21362    0.37215    0.71056
Ｄ１   13.52886    8.56659    3.87226
Ｄ２    0.50002    0.52690    3.26189
Ｄ３   10.63275   15.56814   17.52748
（条件式対応値）
条件式（１） （−ｆ１）／ｆ２＝  1.1219
条件式（２） （−ｆ３）／ｆ２＝  2.2354
条件式（３）  Ｒ１２／Ｄ１１ ＝  2.1718
条件式（４） （Ｒ２２＋Ｒ１１）／（Ｒ２２−Ｒ１１）＝ -0.9528
【００２６】
図２（ａ），（ｂ），（ｃ）はそれぞれ、本発明の第１実施例に係る実像式変倍ファインダーの低倍率時，中倍率時，高倍率時の諸収差を示す図である。
各収差図は、左側から順に、球面収差、非点収差、歪曲収差、コマ収差を示し、これらの下方には倍率色収差を示している。各収差図において、Ｃ，Ｆ，ｄ，ｇはそれぞれ、Ｃ線（λ＝６５６．２８ｎｍ），Ｆ線（λ＝４８６．１３ｎｍ），ｄ線（λ＝５８７．５６ｎｍ），ｇ線（λ＝４３５．８４ｎｍ）での収差曲線を示している。
【００２７】
球面収差図において、縦軸はファインダーへの光線の入射高さHを示し、横軸は視度（単位：ディオプター、Dで示す。）を示す。非点収差図において、縦軸はファインダー光学系への光線の入射半画角Aを示し、横軸は視度（D）を示す。また非点収差図において、実線はサジタル方向での非点収差、破線はメリディオナル方向での非点収差をそれぞれ示す。歪曲収差図において、縦軸はファインダーへの光線の入射半画角Aを示す。尚、球面収差図、非点収差図および歪曲収差図ではそれぞれ、入射高さHの最大値、入射半画角Aの最大値を示している。コマ収差図は、各半画角Aでの収差を示し、コマ収差図および倍率色収差図において、縦軸はファインダーからの光線の射出角度を示す。
尚、以下に示す全実施例の諸収差図において、本実施例と同様の符号を用いる。
【００２８】
以上、本実施例に係る実像式変倍ファインダーは、非常に単純なレンズ構成であって、低倍率時に７９度以上の画角を有しつつ、３．３倍以上の変倍比を有する。また、各収差図より、本実施例に係る実像式変倍ファインダーは、低倍率時、中倍率時、および高倍率時にわたって良好に収差を補正していることがわかる。
【００２９】
（第２実施例）
図３は、本発明の第２実施例に係る実像式変倍ファインダーのレンズ構成を示す図である。図３において、（ａ），（ｂ），（ｃ）はそれぞれ、本実施例に係る実像式変倍ファインダーの低倍率時，中倍率時，高倍率時の断面を示している。
図３に示すように、本実施例に係る実像式変倍ファインダーは、光軸に沿って物体側から順に、正の屈折力を有する対物レンズ群Ｏと、正立光学系Ｐと、正の屈折力を有する接眼レンズ群Ｌとからなる。
【００３０】
対物レンズ群Ｏは、光軸に沿って物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４とから構成されている。
詳細には、第１レンズ群Ｇ１は両凹形状の負レンズからなり、第２レンズ群Ｇ２は両凸形状の正レンズからなり、第３レンズ群Ｇ３は両凹形状の負レンズからなり、第４レンズ群Ｇ４は物体側に凸面を向けた平凸レンズからなり、したがって全てのレンズ群は単レンズ１枚のみで構成されている。
斯かる構成の対物レンズ群Ｏは、第４レンズ群Ｇ４の近傍に実像を形成する。
また、正立化部材Ｐは、プリズムによって構成されており、対物レンズ群Ｏによって形成された実像を正立像とするものである。尚、この正立化部材Ｐは、図３において展開した状態で示されている。
さらに、接眼レンズ群Ｌは、両凸形状の正レンズからなる。
【００３１】
また、第３レンズ群Ｇ３と第４レンズ群Ｇ４との間に、不図示の反射部材が配置されており、対物レンズ群Ｏの光路を折り曲げる構成としている。この反射部材は、正立化部材Ｐとともに、対物レンズ群Ｏによって結像される実像を正立像とする。
また、本実施例において、第２レンズ群Ｇ２および第３レンズ群Ｇ３が変倍群として作用する。倍率を低倍から高倍へ変化させる際には、第２レンズ群Ｇ２を光軸に沿って物体側へ線形に移動させ、これに伴なう像面位置の補正は第３レンズ群Ｇ３によって行われる。また、このとき第１レンズ群Ｇ１の位置は固定である。
以上の構成の下、対物レンズ群Ｏによって第４レンズ群Ｇ４の近傍に形成された実像は、正立化部材Ｐと接眼レンズ群Ｌとを介してアイポイントＥ.Ｐで観察されることとなる。
以下の表２に、本発明の第２実施例に係る実像式変倍ファインダーの諸元の値を掲げる。
【００３２】
［表２］
（全体諸元）
ｍ    ＝   0.213〜0.710
視度Ｘ＝  -1.0（ｍ-1）
２ω  ＝  79.62°〜23.94°
Ｅ.Ｐ ＝  18
（レンズデータ）
面番号  曲率半径   間隔    ｎｄ      νd
1)   -173.1276  2.0000  1.585180  30.24
＊2)      4.0452   Ｄ１   1.000000
＊3)      5.3315  3.0000  1.491080  57.57
＊4)     -7.3509   Ｄ２   1.000000
＊5)    -21.2857  1.5000  1.585180  30.24
＊6)     16.6009   Ｄ3    1.000000
7)      9.5000  2.0000  1.491080  57.57
8)       ∞     4.9000  1.000000
9)       ∞    25.204   1.516800  64.10
10)       ∞     3.6240  1.491080  57.57
11)       ∞     1.6000  1.000000
＊12)     21.0000  2.3000  1.491080  57.57
13)    -25.7010  Ｅ.Ｐ
（非球面係数）
面番号   κ       C4           C6           C8           C10
2    0.6406 -1.05130E-03  0.00000E+00  0.00000E+00  0.00000E+00
3    2.5100 -1.84590E-03 -2.00380E-04  0.00000E+00  0.00000E+00
4   -2.5269  0.00000E+00 -2.89640E-05  0.00000E+00  0.00000E+00
5   30.0000  3.78060E-03 -2.23640E-04  0.00000E+00  0.00000E+00
6  -20.9750  6.20360E-03 -9.41840E-04  2.12260E-04 -1.96050E-05
12   -2.8000  0.00000E+00  0.00000E+00  0.00000E+00  0.00000E+00
（可変間隔データ）
低倍率     中倍率     高倍率
倍率    0.21336    0.37171    0.70971
Ｄ１   13.24917    8.29363    3.88249
Ｄ２    0.50013    1.38698    6.22084
Ｄ３    9.80682   13.87551   13.45279
（条件式対応値）
条件式（１） （−ｆ１）／ｆ２＝  0.9857
条件式（２） （−ｆ３）／ｆ２＝  2.3018
条件式（３）  Ｒ１２／Ｄ１１ ＝  2.0226
条件式（４） （Ｒ２２＋Ｒ１１）／（Ｒ２２−Ｒ１１）＝ -0.9543
【００３３】
図４（ａ），（ｂ），（ｃ）はそれぞれ、本発明の第２実施例に係る実像式変倍ファインダーの低倍率時，中倍率時，高倍率時の諸収差を示す図である。
以上、本実施例に係る実像式変倍ファインダーは、非常に単純なレンズ構成であって、低倍率時に７９度以上の画角を有しつつ、３倍以上の変倍比を有する。また、各収差図より、本実施例に係る実像式変倍ファインダーは、低倍率時、中倍率時、および高倍率時にわたって良好に収差を補正していることがわかる。
【００３４】
（第３実施例）
図５は、本発明の第３実施例に係る実像式変倍ファインダーのレンズ構成を示す図である。図５において、（ａ），（ｂ），（ｃ）はそれぞれ、本実施例に係る実像式変倍ファインダーの低倍率時，中倍率時，高倍率時の断面を示している。また、図７（ａ），（ｂ）はそれぞれ、本実施例に係る実像式変倍ファインダーをより具体的に示す断面図，斜視図である。
図５に示すように、本実施例に係る実像式変倍ファインダーは、光軸に沿って物体側から順に、対物レンズ群Ｏと、該対物レンズ群Ｏ中に配置された反射部材Ｓと、正立化部材Ｐと、接眼レンズ群Ｌとからなる。
【００３５】
対物レンズ群Ｏは、光軸に沿って物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４とから構成されている。
詳細には、第１レンズ群Ｇ１は両凹形状の負レンズからなり、第２レンズ群Ｇ２は両凸形状の正レンズからなり、第３レンズ群Ｇ３は物体側に凸面を向けた負メニスカスレンズからなり、第４レンズ群Ｇ４は物体側に凸面を向けた平凸レンズからなり、したがって全てのレンズ群は単レンズ１枚のみで構成されている。
【００３６】
また、反射部材Ｓは、プリズムによって構成された正立プリズムであり、対物レンズ群Ｏ中の第３レンズ群Ｇ３と第４レンズ群Ｇ４との間に配置されている。
また、正立化部材Ｐも、プリズムによって構成された正立プリズムである。
尚、これら反射部材Ｓおよび正立化部材Ｐは、図５において展開した状態で示されている。
さらに、接眼レンズ群Ｌは、両凸形状の正レンズからなる。
【００３７】
また、本実施例において、第２レンズ群Ｇ２および第３レンズ群Ｇ３が変倍群として作用する。倍率を低倍から高倍へ変化させる際には、第２レンズ群Ｇ２を光軸に沿って物体側へ線形に移動させ、これに伴なう像面位置の補正は第３レンズ群Ｇ３によって行われる。また、このとき第１レンズ群Ｇ１の位置は固定である。
【００３８】
斯かる構成の下、図７（ａ）に示すように、対物レンズ群Ｏにおける第１，第２，および第３レンズ群Ｇ１，Ｇ２，Ｇ３は、コンデンサレンズとして配置された第４レンズ群Ｇ４の近傍に実像Ｉを形成する。このとき、反射部材Ｓは、第３レンズ群Ｇ３と第４レンズ群Ｇ４との間で光軸を一旦物体側へ折り返す。そして、正立化部材Ｐは、第４レンズ群Ｇ４と接眼レンズ群Ｌとの間で光軸を一旦物体側へ再び折り返す。これら反射部材Ｓおよび正立化部材Ｐによって、第４レンズ群Ｇ４の近傍に形成された実像Ｉは正立化されることとなる。またこれにより、ファインダー光学系の全長の短縮化を図ることもできる。
以上より、対物レンズ群Ｏによって形成された実像Ｉは、正立化部材Ｐと接眼レンズ群Ｌとを介してアイポイントＥ.Ｐで観察されることとなる。
以下の表３に、本発明の第３実施例に係る実像式変倍ファインダーの諸元の値を掲げる。
【００３９】
［表３］
（全体諸元）
ｍ    ＝   0.213〜0.710
視度Ｘ＝  -1.0（ｍ-1）
２ω  ＝  79.62°〜23.94°
Ｅ.Ｐ ＝  18
（レンズデータ）
面番号  曲率半径   間隔    ｎｄ      νd
1)   -180.0000  2.0000  1.585180  30.24
＊2)      4.3435   Ｄ１   1.000000
＊3)      6.3730  3.0000  1.491080  57.57
＊4)     -5.2955   Ｄ２   1.000000
＊5)    129.3356  1.5000  1.585180  30.24
＊6)      7.8688   Ｄ３   1.000000
7)       ∞    13.657   1.516800  64.10
8)       ∞     1.5000  1.000000
9)      9.5000  2.0000  1.491080  57.57
10)       ∞     2.0000  1.000000
11)       ∞    28.004   1.516800  64.10
12)       ∞     1.8000  1.000000
＊13)     21.1100  2.3000  1.491080  57.57
14)    -25.7010  Ｅ.Ｐ
（非球面係数）
面番号   κ       C4           C6           C8           C10
2    0.5208  0.00000E+00  0.00000E+00  0.00000E+00  0.00000E+00
3    1.6050 -2.24020E-03 -2.74450E-04  0.00000E+00  0.00000E+00
4    0.9777  0.00000E+00 -1.55150E-04  0.00000E+00  0.00000E+00
5   50.0000  9.30400E-04  0.00000E+00  0.00000E+00  0.00000E+00
6   12.8832  0.00000E+00 -1.22550E-03  4.32840E-04 -8.76120E-05
13   -2.8000  0.00000E+00  0.00000E+00  0.00000E+00  0.00000E+00
（可変間隔データ）
低倍率     中倍率     高倍率
倍率    0.21986    0.38303    0.73134
Ｄ１   13.52886    8.56659    3.87226
Ｄ２    0.50002    0.52690    3.26189
Ｄ３    0.77014    5.70553    7.66487
（条件式対応値）
条件式（１） （−ｆ１）／ｆ２＝  1.1219
条件式（２） （−ｆ３）／ｆ２＝  2.2354
条件式（３）  Ｒ１２／Ｄ１１ ＝  2.1718
条件式（４） （Ｒ２２＋Ｒ１１）／（Ｒ２２−Ｒ１１）＝ -0.9532
【００４０】
図６（ａ），（ｂ），（ｃ）はそれぞれ、本発明の第３実施例に係る実像式変倍ファインダーの低倍率時，中倍率時，高倍率時の諸収差を示す図である。
以上、本実施例に係る実像式変倍ファインダーは、非常に単純なレンズ構成であって、低倍率時に７９度以上の画角を有しつつ、３倍以上の変倍比を有する。また、各収差図より、本実施例に係る実像式変倍ファインダーは、低倍率時、中倍率時、および高倍率時にわたって良好に収差を補正していることがわかる。
【図面の簡単な説明】
【００４１】
【図１】本発明の第１実施例に係る実像式変倍ファインダーのレンズ構成を示す図であって、（ａ），（ｂ），（ｃ）はそれぞれ、本実施例に係る実像式変倍ファインダーの低倍率時，中倍率時，高倍率時の断面を示している。
【図２】（ａ），（ｂ），（ｃ）はそれぞれ、本発明の第１実施例に係る実像式変倍ファインダーの低倍率時，中倍率時，高倍率時の諸収差を示す図である。
【図３】本発明の第２実施例に係る実像式変倍ファインダーのレンズ構成を示す図であって、（ａ），（ｂ），（ｃ）はそれぞれ、本実施例に係る実像式変倍ファインダーの低倍率時，中倍率時，高倍率時の断面を示している。
【図４】（ａ），（ｂ），（ｃ）はそれぞれ、本発明の第２実施例に係る実像式変倍ファインダーの低倍率時，中倍率時，高倍率時の諸収差を示す図である。
【図５】本発明の第３実施例に係る実像式変倍ファインダーのレンズ構成を示す図であって、（ａ），（ｂ），（ｃ）はそれぞれ、本実施例に係る実像式変倍ファインダーの低倍率時，中倍率時，高倍率時の断面を示している。
【図６】（ａ），（ｂ），（ｃ）はそれぞれ、本発明の第３実施例に係る実像式変倍ファインダーの低倍率時，中倍率時，高倍率時の諸収差を示す図である。
【図７】（ａ），（ｂ）はそれぞれ、本発明の第４実施例に係る実像式変倍ファインダーをより具体的に示す断面図，斜視図である。
【符号の説明】
【００４２】
Ｏ    対物レンズ群
Ｇ１  第１レンズ群
Ｇ２  第２レンズ群
Ｇ３  第３レンズ群
Ｇ４  第４レンズ群
Ｐ    正立化部材
Ｌ    接眼レンズ群
Ｅ.Ｐ  アイポイント
【図１】
2005107279.tif 000003
【図２】
2005107279.tif 000004
【図３】
2005107279.tif 000005
【図４】
2005107279.tif 000006
【図５】
2005107279.tif 000007
【図６】
2005107279.tif 000008
【図７】
2005107279.tif 000009